(57)【要約】【課題】    従来は、人工爪の表面にしかデザインの表現方法がなかったつけ爪に対して、奥行きを出し、空間感のある表現方法を付加して、ネイルシールに実用性と新規性を提供する。【解決手段】  人の爪の形に切り取られ、内部と下面の裏に粘面を設けた二つ折り状のシール内部（３）に、装飾模様を施として認識される装飾構成外部材（４）を備えた、装飾用ネイルシール（１）（２）。シール内部の空間と表面部材上でアートに二面性を創り、付加価値をプラスすることを特徴とする。【選択図】図１
0003130980.tif 000002
【実用新案登録請求の範囲】
【請求項１】
人の爪の形に切り取られ、内部（３）と下面（２）の裏に粘面（８）を設けた二つ折り状のシール内部（３）に、装飾模様を施として認識される装飾構成外部材（４）を備えた、装飾用ネイルシール（１）（２）。
【請求項２】
人の爪の形に切り取られ、内部（１４）に下面（１３）の裏に粘面（１９）を設け、二つ折り状で下面（１３）が上面（１２）よりもやや硬質な素材で構成されたシール内部（１４）に、装飾模様を施として認識される装飾構成外部材（１５）を備えた、装飾用ネイルシール（１２）（１３）。
【考案の詳細な説明】
【技術分野】
【０００１】  本考案は、二つ折り状のネイルシールにすることにより、ネールアートを二重構造アートとし、特に装飾効果を高めるための特徴のある模様の形成を容易かつ効果的に行うことを可能とする装飾用ネイルシールの構造およびその製造方法に関するものである。
【背景技術】
【０００２】  従来の一般的な装飾用付け爪として、たとえば図４に示すように、人の爪状に湾曲させた樹脂素材からなる付け爪基体の表面に模様を構成する印刷層を形成した付け爪が製造販売されている。この付け爪は図４に示すように、付け爪基体の裏面と人の爪の表面を、例えば両面テープやネイルグルーと呼ばれる、付け爪用の接着用材でとめて使用する。【０００３】  また、上記従来の一般的な付け爪の他に、たとえば図４に示すように、人の爪状のシール基体の表面に模様を構成する印刷層を形成したネイルシールが製造販売されている。このネイルシールは図４に示すように、人の爪の表面に直接粘面でとめて使用する。
【考案の開示】
【考案が解決しようとする課題】
【０００４】  これには、次のような欠点があった。
図４に示した上記一般的な付け爪は、印刷により種々の模様を形成することが可能であるが、付け爪基体を湾曲させる工程の前に模様を印刷すると、湾曲させるための工程において印刷層が破損するか変色するなど美観を損ねるため、湾曲した付け爪基体の１個１個の表面に印刷を施すことが必要であり、そのために生産効率が悪く低コストで量産は難しかった。また、印刷面が表面にあることで、直接外気や埃・水などと接触することにより、模様の保存を長期にわたって維持することが困難だった。【０００５】  また、付け爪やネイルシールの表面のみにしか、デザイン表現する方法がなく、一般的なネイルシールはデザインを自分で変えることが難しく、種類がまだ少ない。自身で付け爪自体に着色する際にも、塗りむらが出ることが多く、自分でつけ爪をデザインし作製するのに手間と時間がかかった。
本考案は、これらの欠点を除くためになされたものである。
【課題を解決する為の手段】
【０００６】  上記課題を解決する本考案の装飾用ネイルシール（１）（２）は、二つ折り状のネイルシールにすることにより、内部空間（３）が設けられ、上部部材（１）を通して外部から装飾模様として認識される装飾構成部材（４）を備える。
【０００７】  このように構成されることにより、装飾部材を外部環境から影響されることなく、装飾構成部材に施された模様などの装飾を、長期間美観を損ねることなく維持することができる。また、水などから内部空間の装飾を守ることも同時にできる。
【考案の効果】
【０００８】  本考案は、以上説明したように構成されているので、以下に記載するような効果を奏する。
（イ）二つ折り状のネイルシールにすることにより、ネールアートを二重構造アートを可能とする。
（ロ）装飾効果を高めるための特徴のある模様の形成を容易かつ効果的に行うことを可能とする。
（ハ）装飾部が内部にあることにより、装飾の劣化が軽減され、美観が損なわれることなく維持することが可能となる。
【考案を実施するための最良の形態】
【０００９】  以下、本考案の実施の形態について説明する。
この実施形態のネイルシール（１）（２）では、図１に示すように、全体としては、人の爪状に切り取られた二つ折りのシール構造を有している。このネイルシール（１）（２）では断面図１（ｃ）から分かるように、人の爪状に切り取られた二つ折りのシールからなる内部空間（３）を形成した中空構成を成している。ネイルシールの二つ折りの下面（２）に、装飾模様（４）を設け、ネイルシールの二つ折りの上面（１）を設ける。また図２のように、シール基体（９）を個々の爪の大きさ（１０）に切断線ａ−ａ’から切断する。
【実施例１】
【００１０】  上記実施形態のネイルシール（１）（２）では、二つ折りのシール素材がどちらも軟質な物を使い、装飾模様（４）をシール内部（３）に設けた上で、図２のように、シール基体（９）を個々の爪の大きさ（１０）に切断線ａ−ａ’から切断する。
【実施例２】
【００１１】  次に、本考案の第１実施形態の変形例を図１にて説明する。
この実施形態のネイルシール（１）（２）では、図１に示すように、全体としては、人の爪状に切り取られた二つ折りのシール構造を有している。このネイルシール（１）（２）では断面図１（ｃ）から分かるように、人の爪状に切り取られた二つ折りのシールからなる内部空間（３）を形成した中空構成を成している。ネイルシールの二つ折りの下面（２）に、装飾模様（４）を設け、ネイルシールの二つ折りの上面（１）を設ける。図２のように、シール基体（９）を個々の爪の大きさ（１０）に切断線ａ−ａ’から切断する。
【実施例３】
【００１２】  また、上記発明の実施形態の変形例を図３にて説明する。
この実施形態のネイルシール（１２）（１３）では、図３に示すように、全体としては、人の爪状に切り取られた二つ折りのシール構造を有している。このネイルシール（１２）（１３）では断面図３（ｃ）から分かるように、人の爪状に切り取られた二つ折りのシールからなる内部空間（１４）を形成した中空構成を成している。ネイルシールの二つ折りのやや硬質な下面（１３）に、装飾模様（１５）を設け、ネイルシールの二つ折りの上面（１２）を設ける。
【産業上の利用の可能性】
【００１３】  本考案は、ネイルアートのオリジナル化を簡便に図り、またネイルアートの二重構造を可能としていることが挙げられる。
【図面の簡単な説明】
【００１４】
【図１】（ａ）本考案の第１実施例のネイルシールの斜視図（ｂ）本考案の第１実施例のネイルシールの展開図（ｃ）（ａ）のａ−ａ’線断面図（ｄ）（ａ）のｂ−ｂ’線断面図
【図２】（ａ）本考案のネイルシールを人の爪に貼り付けようとする斜視図（ｂ）本考案のネイルシールを人の爪に合わせて切断する斜視図（ｃ）本考案のネイルシールを人の爪に貼り付けた状態を示す斜視図
【図３】（ａ）本考案の第２実施例のネイルシールの斜視図（ｂ）本考案の第２実施例のネイルシールの展開図（ｃ）（ａ）のａ−ａ’線断面図（ｄ）（ａ）のｂ−ｂ’線断面図
【図４】（ａ）従来の一般的な装飾用ネイルシールまたは付け爪の平面図（ｂ）（ａ）のａ−ａ’線断面図（ｃ）（ａ）のｂ−ｂ’線断面図
【符号の説明】
【００１５】  １，２，９，１１，１２，１３  ネイルシール
３，１４  内部空間
４，１５  装飾模様を施した部材
５，１６  折り曲げ線
６，７，８，１７，１８，１９  粘着剤
１０，２３  人の爪
２０，２２  ネイルシールまたは付け爪
２１  装飾模様
【図１】
0003130980.tif 000003
【図２】
0003130980.tif 000004
【図３】
0003130980.tif 000005
【図４】
0003130980.tif 000006